(57)【要約】【課題】端子を相手方の端子に確実に導通することができる電子機器およびコネクタを提供する。【解決手段】電池室２４への柱部３６の挿入によりグリップ装置側信号端子４８が撮像装置側信号端子２８に当接し、さらに柱部３６を挿入すると、グリップ装置側信号端子４８が撮像装置側信号端子２８に当接していることから、支持部材６２は柱部３６の内部に没入していき、また、グリップ装置側信号端子４８は支持部材６２（スリーブ７０）の内部に没入していく。そして、支持部材６２が柱部３６の内部に没入していく際に、支持部材６２は案内部６６によりその移動する方向（その没入する方向）と直交する方向に移動される。【選択図】図１７
2009059674.tif 000002
【特許請求の範囲】
【請求項１】
端子と、前記端子を支持する前記支持部材とを有する電子機器であって、
前記支持部材を、前記端子が相手方の端子に接触離間させる方向に移動可能に支持すると共に、前記接触離間する方向への移動に連動して前記接触離間する方向と直交する方向に前記支持部材を移動させる案内部が設けられ、
前記支持部材を前記端子が相手方の端子に接触する方向に付勢する第１の付勢部材が設けられている、
ことを特徴とする電子機器。
【請求項２】
前記端子は、前記接触離間させる方向に移動可能に前記支持部材で支持され、
前記端子を、相手方の端子に接触させる方向に付勢する第２の付勢部材が設けられている、
ことを特徴とする請求項１記載の電子機器。
【請求項３】
前記端子は、前記接触離間する方向に沿った前記支持部材の端部である先部に設けられ、
前記先部から離れた前記支持部材の箇所に、前記端子に電気的に接続されたフレキシブル基板が取着されている、
ことを特徴とする請求項１記載の電子機器。
【請求項４】
前記端子はピンで構成されている、
ことを特徴とする請求項１記載の電子機器。
【請求項５】
前記電子機器は筐体を備え、
前記接触離間する方向と直交する方向における前記支持部材の箇所に複数のガイドピンが突設され、
前記筐体に、前記接触離間する方向に対して傾斜する方向に延在し前記ガイドピンが係合されるガイド溝が設けられ、
前記案内部は前記ガイドピンと前記ガイド溝とを含んで構成されている、
ことを特徴とする請求項１記載の電子機器。
【請求項６】
前記電子機器は筐体を備え、
前記接触離間する方向と直交する方向における一方の前記支持部材の箇所に複数のガイドピンが突設されると共に、前記接触離間する方向と直交する方向における他方の前記支持部材の箇所に突起が突設され、
前記筐体に、前記接触離間する方向に対して傾斜する方向に延在し前記ガイドピンが係合されるガイド溝と、突起に係合し前記ガイドピンが前記ガイド溝から外れる方向への前記支持部材の移動を阻止する案内壁が設けられ、
前記案内部は前記ガイドピンと前記ガイド溝とを含んで構成されている、
ことを特徴とする請求項１記載の電子機器。
【請求項７】
端子と、前記端子を支持する前記支持部材とを有するコネクタであって、
前記支持部材を、前記端子が相手方の端子に接触離間させる方向に移動可能に支持すると共に、前記接触離間する方向への移動に連動して前記接触離間する方向と直交する方向に前記支持部材を移動させる案内部が設けられ、
前記支持部材を前記端子が相手方の端子に接触する方向に付勢する第１の付勢部材が設けられている、
ことを特徴とするコネクタ。
【請求項８】
前記端子は、前記接触離間させる方向に移動可能に前記支持部材で支持され、
前記端子を、相手方の端子に接触させる方向に付勢する第２の付勢部材が設けられている、
ことを特徴とする請求項７記載のコネクタ。
【請求項９】
前記端子は、前記接触離間する方向に沿った前記支持部材の端部である先部に設けられ、
前記先部から離れた前記支持部材の箇所に、前記端子に電気的に接続されたフレキシブル基板が取着されている、
ことを特徴とする請求項７記載のコネクタ。
【請求項１０】
前記端子はピンで構成されている、
ことを特徴とする請求項７記載のコネクタ。
【請求項１１】
前記コネクタは筐体を備え、
前記接触離間する方向と直交する方向における前記支持部材の箇所に複数のガイドピンが突設され、
前記筐体に、前記接触離間する方向に対して傾斜する方向に延在し前記ガイドピンが係合されるガイド溝が設けられ、
前記案内部は前記ガイドピンと前記ガイド溝とを含んで構成されている、
ことを特徴とする請求項７記載のコネクタ。
【請求項１２】
前記コネクタは筐体を備え、
前記接触離間する方向と直交する方向における一方の前記支持部材の箇所に複数のガイドピンが突設されると共に、前記接触離間する方向と直交する方向における他方の前記支持部材の箇所に突起が突設され、
前記筐体に、前記接触離間する方向に対して傾斜する方向に延在し前記ガイドピンが係合されるガイド溝と、突起に係合し前記ガイドピンが前記ガイド溝から外れる方向への前記支持部材の移動を阻止する案内壁が設けられ、
前記案内部は前記ガイドピンと前記ガイド溝とを含んで構成されている、
ことを特徴とする請求項７記載のコネクタ。
【発明の詳細な説明】
【技術分野】
【０００１】
本発明は電子機器およびコネクタに関する。
【背景技術】
【０００２】
デジタルスチルカメラなどの撮像装置によって撮影を行うに際しては、撮像装置の筐体の長手方向の両側を左右の手で掴み、左右の手を左右に位置させ、筐体の長手方向を水平に向けた状態で筐体を保持して撮影する、いわゆる横位置での撮影を行うことが多く、したがって、シャッタースイッチなどの撮影にまつわる操作スイッチも横位置での撮影時に操作しやすいように筐体に配置されている。
一方、撮像装置の撮影光学系の光軸を中心にして横位置に対して９０度筐体を回転した状態で撮影する、いわゆる縦位置での撮影を行う場合には、筐体の長手方向両側を把持する手が上下に位置してしまうことから、撮影姿勢が不自然となる不都合が生じる。
そのため、撮像装置を縦位置で撮影する場合であっても、横位置での撮影時と同様に左右の手が左右に位置した状態で筐体を保持できるように、筐体の底部に装脱可能に装着される縦位置グリップ装置が提供されている（特許文献１参照）。
この種の縦位置グリップ装置は、該縦位置グリップに設けられた各種の操作スイッチの操作信号を撮像装置に供給する必要がある。
そのため、縦位置グリップ装置に、前記操作信号を撮像装置へ伝達するためのグリップ装置側の信号端子を設けるとともに、撮像装置に、グリップ装置側の信号端子に接続される撮像装置側の信号端子を設け、縦位置グリップ装置を撮像装置に連結することによって、グリップ装置側の信号端子と撮像装置側の信号端子とを互いに押圧させ、これにより導通するようにしている。
【特許文献１】特開平１１−２０２３９１
【発明の開示】
【発明が解決しようとする課題】
【０００３】
そのため、従来の縦位置グリップ装置では、単にグリップ装置側の信号端子と撮像装置側の信号端子とを押圧する構成であることから、例えば、何れか一方の信号端子に塵埃が付着している場合や酸化被膜が形成されている場合には、確実な導通状態を得ることができない不利があった。
本発明はこのような事情に鑑みなされたもので、その目的は、端子を相手方の端子に確実に導通することができる電子機器およびコネクタを提供することにある。
【課題を解決するための手段】
【０００４】
上述の目的を達成するため、本発明は、端子と、前記端子を支持する前記支持部材とを有する電子機器であって、前記支持部材を、前記端子が相手方の端子に接触離間させる方向に移動可能に支持すると共に、前記接触離間する方向への移動に連動して前記接触離間する方向と直交する方向に前記支持部材を移動させる案内部が設けられ、前記支持部材を前記端子が相手方の端子に接触する方向に付勢する第１の付勢部材が設けられていることを特徴とする。
また本発明は、端子と、前記端子を支持する前記支持部材とを有するコネクタであって、前記支持部材を、前記端子が相手方の端子に接触離間させる方向に移動可能に支持すると共に、前記接触離間する方向への移動に連動して前記接触離間する方向と直交する方向に前記支持部材を移動させる案内部が設けられ、前記支持部材を前記端子が相手方の端子に接触する方向に付勢する第１の付勢部材が設けられていることを特徴とする。
【発明の効果】
【０００５】
本発明によれば、端子が、相手方の端子の表面に付着している塵埃を排除しつつ移動することになり、あるいは、端子が、相手方の端子の表面に形成された酸化被膜を剥離しつつ移動することになり、端子を相手方の端子に確実に導通することができる。
【発明を実施するための最良の形態】
【０００６】
次に、本発明が、撮像装置に装脱可能に装着される縦位置グリップ装置に適用された実施の形態について説明する。
図１は撮像装置１０および縦位置グリップ装置３０の正面図、図２は撮像装置１０に縦位置グリップ装置３０が装着される過程を示す正面図、図３は撮像装置１０に縦位置グリップ装置３０が装着された状態を示す正面図、図４は撮像装置１０に縦位置グリップ装置３０が装着された状態を示す背面図である。
また、図９は撮像装置１０および縦位置グリップ装置３０の制御系を示すブロック図である。
【０００７】
図３、図４に示すように、縦位置グリップ装置３０は、撮像装置１０に取り付けられることで本実施の形態の端子および支持部材を介して撮像装置１０を縦位置で撮影する際に手で把持される縦位置グリップとして機能する。すなわち、縦位置グリップ装置３０が取り付けられた撮像装置１０を縦位置とするとともに縦位置グリップ装置３０のグリップ部３２Ａを右手で把持することにより、その右手の指で縦位置グリップ装置３０のシャッタースイッチ４４Ａを操作することができ、また、撮像装置１０を縦位置とした状態で縦位置グリップ装置３０の操作スイッチ４４Ｃおよび制御スイッチ４４Ｄの操作が容易に行える。
また、図１に示すように、縦位置グリップ装置３０には２個の電池５０が収容され、縦位置グリップ装置３０は、撮像装置１０に取り付けられることで、撮像装置１０へ２個の電池５０の電力を供給する電源装置としても機能することになる。すなわち、縦位置グリップ装置３０を使用した場合には撮像装置１０の使用時間をほぼ２倍に延ばすことができる。
【０００８】
縦位置グリップ装置３０が装着される撮像装置１０は、図１、図４に示すように、本実施の形態ではデジタルスチルカメラである。
撮像装置１０は、外装を構成する撮像装置側筐体１２を有している。なお、本明細書において左右は、撮像装置１０を前方から見た状態でいうものとし、また、光学系の光軸方向で被写体側を前方といい、撮像素子側を後方という。
撮像装置側筐体１２は前後の厚さと、厚さよりも大きな寸法の上下の高さと、高さよりも大きな寸法の左右の幅とを有している。
撮像装置側筐体１２の前面には撮影光学系１４を収容保持する鏡筒１６が設けられている。
撮像装置側筐体１２の上端面には、撮像を行うためのシャッタースイッチ１８Ａや撮影モードを設定するための設定ダイヤル１８Ｂが設けられている。
撮像装置側筐体１２の後面には、撮像した映像を表示するディスプレイ２０、撮影、記録、映像表示などの種々の動作にまつわる操作を行うための複数の操作スイッチ１８Ｃ、ディスプレイ２０上に表示されるメニューを選択するなどの操作を行うための制御スイッチ１８Ｄなどが設けられている。
撮像装置側筐体１２の底面１９には、三脚取り付け用の雌ねじ２２が設けられている。
また、撮像装置側筐体１２の左側部には、底面１９に開口し電池５０（図８）が１個装脱される電池室２４が設けられており、電池室２４の開口は図示しない蓋体によって開閉されるように構成されている。
電池室２４を構成する壁部には、撮像装置側電源端子２６と、撮像装置側信号端子２８が設けられている。
撮像装置側電源端子２６は、電池室２４に収容された電池５０の電池側端子５２（図９）に接続され電池５０からの電力が供給されるものであり、また、後述するグリップ装置側電源端子４６に接続されることで縦位置グリップ装置３０から電力が供給されるものである。本実施の形態では、撮像装置側電源端子２６は３つ設けられている。
また、撮像装置側信号端子２８は、本実施の形態の端子および支持部材を介して縦位置グリップ装置３０のグリップ装置側信号端子４８に接続可能に形成されている。本実施の形態では、撮像装置側信号端子２８は、図１１に示すように、互いに切り離された複数の薄板の面で構成されている。
【０００９】
図９に示すように、鏡筒１６の後部には、撮影光学系１４によって結像された被写体像を撮像するＣＣＤやＣＭＯＳセンサなどで構成された撮像素子１０Ａが配設されている。
撮像装置１０は、撮像素子１０Ａから出力された撮像信号に基づいて画像データを生成し、メモリカードなどの記録媒体２に記録する画像処理部１０Ｂ、前記画像データをディスプレイ２０に表示させる表示処理部１０Ｃ、電源部１０Ｄ、制御部１０Ｅなどを備えている。
電源部１０Ｄは、撮像装置側電源端子２６を介して供給される電力を所定の電流、電圧に調整して各部１０Ａ，１０Ｂ，１０Ｃ、１０Ｅ、ディスプレイ２０などに供給するものである。
制御部１０Ｅは、シャッタースイッチ１８Ａ、設定ダイヤル１８Ｂ、操作スイッチ１８Ｃ、制御スイッチ１８Ｄの操作に応じて画像処理部１０Ｂ、表示処理部１０Ｃなどを制御するものであり、制御プログラムによって動作を行うＣＰＵを有している。
また、制御部１０Ｅは、縦位置グリップ装置３０から供給される操作信号をグリップ装置側信号端子４８と撮像装置側信号端子２８を介して受け付けて画像処理部１０Ｂ、表示処理部１０Ｃなどを制御する。
【００１０】
次に縦位置グリップ装置３０について詳細に説明する。
図５は縦位置グリップ装置３０を前方から見た斜視図、図６は縦位置グリップ装置３０を後方から見た斜視図、図７は縦位置グリップ装置３０の電池室３８に電池５０が収容された状態を示す斜視図で、図８は縦位置グリップ装置３０の電池室３８に電池５０が収容される状態を示す斜視図である。
図１乃至図３、図５、図６に示すように、縦位置グリップ装置３０はグリップ装置側筐体３２を有し、グリップ装置側筐体３２に柱部３６が突設されている。
【００１１】
図５に示すように、グリップ装置側筐体３２は左右に細長の形状を呈している。
グリップ部３２Ａは、グリップ装置側筐体３２の前部に設けられ前方に膨出しつつ左右方向に延在している。
グリップ装置側筐体３２の上部には、撮像装置側筐体１２の底面１９と同じ輪郭の取り付け面３４が設けられ、撮像装置側筐体１２の底面の雌ねじ２２に螺合可能な取り付けねじ３５が取り付け面３４から突出している。
図６に示すように、グリップ装置側筐体３２の上部には、取り付けねじ３５を回転操作するための操作ダイヤル３５Ａが設けられ、この操作ダイヤル３５Ａの周方向の一部は、回転操作できるようにグリップ装置側筐体３２の後面に露出している。
また、グリップ装置側筐体３２の上面には、撮像装置１０の電池室２４の蓋体（不図示）を収容する収容凹部３７が上方に開放状に形成されている。
【００１２】
グリップ装置側筐体３２の前面には、図５に示すように、シャッタースイッチ４４Ａがグリップ部３２Ａの長手方向の端部である左端に設けられている。シャッタースイッチ４４Ａは撮像装置１０に設けられたシャッタースイッチ１８Ａと同様の機能を奏するものである。
グリップ装置側筐体３２の後面には、図６に示すように、操作スイッチ４４Ｃおよび制御スイッチ４４Ｄが設けられている。操作スイッチ４４Ｃおよび制御スイッチ４４Ｄは撮像装置１０に設けられた操作スイッチ１８Ｃおよび制御スイッチ１８Ｄと同様の機能を奏するものである。
グリップ装置側筐体３２には電池室３８（図１）が設けられている。
【００１３】
電池室３８は、図７、図８に示すように、２つの電池５０をそれらの長手方向を同一直線上に並べて収容するように構成されている。
また、電池室３８にはグリップ装置側電源端子４６と電気的に接続された電池室側コネクタ５８（図９）が設けられている。
電池室３８の長手方向の端部である右端は、図７に示すように、グリップ装置側筐体３２の右側部に開口し、この開口３８Ａを開閉する蓋体３９が設けられている。
なお、図７は電池室３８に電池５０が収容された状態を示し、図８は電池室３８に電池５０を収容する状態を示している。
【００１４】
電池５０は、図８に示すように、厚さと、厚さよりも大きな寸法の幅と、幅よりも大きな寸法の長さを有する細長形状を呈し、その長手方向の端部に電池側端子５２（図９）が設けられている。
本実施の形態では、電池５０は、充電可能な２次電池であり、このような２次電池として例えばリチウムイオン電池やニッケル水素電池が挙げられる。
本実施の形態では、図８に示すように、２個の電池５０は電池用トレー４０とともに電池室３８に装脱される。
電池用トレー４０は、図９に示すように、電池５０の電池側端子５２に電気的に接続可能なトレー側端子５４と、トレー側端子５４に電気的に接続され縦位置グリップ装置３０の電池室３８の電池室側コネクタ５８に係脱されるトレー側コネクタ５６とを備え、トレー側端子５４とトレー側コネクタ５６とは電気的に接続されている。
【００１５】
図１０は柱部３６の構成を示す分解斜視図、図１１（Ａ）はグリップ装置側信号端子４８と撮像装置側信号端子２８との接触状態を示す斜視図、（Ｂ）は（Ａ）の拡大斜視図である。
図１２は柱部３６を電池室２４に挿入しグリップ装置側信号端子４８が撮像装置側信号端子２８に当接した当初の状態を示す柱部３６の正面図、図１３は柱部３６を電池室２４に挿入しグリップ装置側信号端子４８が撮像装置側信号端子２８に当接した状態からさらに柱部３６を押し込んだ柱部３６の正面図、図１４は図１２のＢＢ線断面図、図１５は図１３のＡＡ線断面図、図１６は柱部３６を電池室２４に挿入しグリップ装置側信号端子４８が撮像装置側信号端子２８に当接した当初の状態の柱部３６および電池室２４の断面図、図１７は柱部３６を電池室２４に挿入しグリップ装置側信号端子４８が撮像装置側信号端子２８に当接した状態からさらに柱部３６を押し込んだ状態の柱部３６及び電池室２４の断面図である。
図１８はグリップ装置側信号端子４８の構成を示す断面図である。
【００１６】
グリップ装置側筐体３２の上部の左側部には、図５、図６に示すように、撮像装置１０の電池室２４に挿入される柱部３６が突設されている。
柱部３６の先部には、図１０に示すように、撮像装置側電源端子２６に接続可能な３個のグリップ装置側電源端子４６と、撮像装置側信号端子２８に接続可能な１６個のグリップ装置側信号端子４８とが設けられている。
本実施の形態では、グリップ装置側信号端子４８はピンで構成され、グリップ装置側信号端子４８が特許請求の範囲の端子に相当している。
グリップ装置側電源端子４６は、図９に示すように、電池室３８に収容された２個の電池５０に電気的に接続され、２個の電池５０の電力がグリップ装置側電源端子４６に供給されるように構成されている。
グリップ装置側信号端子４８は、図９に示すように、フレキシブル基板６０（図１０）を介してシャッタースイッチ４４Ａ、操作スイッチ４４Ｃおよび制御スイッチ４４Ｄに電気的に接続され、スイッチ４４Ａ、４４Ｃ、４４Ｄからの操作信号がグリップ装置側信号端子４８に供給されるように構成されている。
【００１７】
本実施の形態では、図１１に示すように、柱部３６の先部に２つの支持部材６２が設けられている。
２つの支持部材６２はグリップ装置側筐体３２の左右方向に並べられて配置されている。
各支持部材６２にそれぞれ８個のグリップ装置側信号端子４８が支持されている。
柱部３６を構成する筐体６４の内部６５（図１０、図１６）に、支持部材６２を、グリップ装置側信号端子４８が相手方の端子（電池室２４の撮像装置側信号端子２８）に接触離間させる方向に移動可能に支持すると共に、前記接触離間する方向への移動に連動して前記接触離間する方向と直交する方向に支持部材６２を移動させる案内部６６（図１２乃至図１５）が設けられている。本実施の形態では、柱部３６の突出方向は、グリップ装置側信号端子４８が相手方の端子に接触離間する方向である。
また、筐体６４に、支持部材６２を、グリップ装置側信号端子４８が相手方の端子に接触する方向に付勢する第１の付勢部材６８（図１６、図１７）が設けられている。
【００１８】
支持部材６２は図１６、図１７に示すように柱部３６の突出方向に平行する方向に延在する長さを有し、筐体６４の内部６５に設けられたストッパ６４Ａが、支持部材６２の長手方向の中間部の段部６２Ａに係合することで、支持部材６２の突出限界位置（図１６）が決められている。
グリップ装置側信号端子４８は支持部材６２の長手方向の一端である先部に設けられている。
図１６に示すように、支持部材６２の長手方向の他端にストッパ６２Ｂが設けられ、このストッパ６２Ｂが筐体６４の中間壁６４Ｂに当接することで支持部材６２の没入限界位置（図１７）が決められている。
第１の付勢部材６８は、支持部材６２の長手方向の他端と中間壁６４Ｂとにわたって配置されている。
フレキシブル基板６０は、図１０に示すように、前記先部から離れた支持部材６２の箇所に取着され、フレキシブル基板６０はグリップ装置側信号端子４８に電気的に接続されている。
【００１９】
本実施の形態では、図１８に示すように、支持部材６２（図１６）の先部にスリーブ７０が嵌め込まれて固定されている。
グリップ装置側信号端子４８は、スリーブ７０に出没可能に支持されている。
グリップ装置側信号端子４８は、第２の付勢部材７２により突出する方向に、すなわち、相手方の撮像装置側信号端子２８（図１６）に接触する方向に付勢されている。
【００２０】
図１２、図１３に示すように、前記接触離間する方向と直交する方向における一方の支持部材６２の片側の箇所で前記接触離間する方向および２つの支持部材６２が並べられた方向に間隔をおいた合計４箇所にそれぞれガイドピン７４が突設されている。
また、図１４、図１５に示すように、前記接触離間する方向と直交する方向における他方の支持部材６２の片側の箇所に２つの突起７６が設けられている。
一方、筐体６４の内部６５に、各支持部材６２のガイドピン７４が係合される合計４つのガイド溝７８が設けられている。
より詳細には、一方の支持部材６２の、２つの支持部材６２が並べられた方向の一方に位置する２つのガイドピン７４は、単一のガイド溝７８に係合され、２つの支持部材６２が並べられた方向の他方に位置する２つのガイドピン７４は、前記ガイド溝７８とは別の単一のガイド溝７８に係合される。
また、他方の支持部材６２の、２つの支持部材６２が並べられた方向の一方に位置する２つのガイドピン７４は、単一のガイド溝７８に係合され、２つの支持部材６２が並べられた方向の他方に位置する２つのガイドピン７４は、前記ガイド溝７８とは別の単一のガイド溝７８に係合される。
２つの支持部材６２のうちの一方の支持部材６２のガイドピン７４が係合する２つのガイド溝７８は、図１２、図１３に示すように、互いに平行し、かつ、柱部３６の先部に至るにつれて柱部３６の中央から次第に離れるように傾斜しており、言い換えると、前記接触離間する方向に対して傾斜している。
２つの支持部材６２のうちの他方の支持部材６２のガイドピン７４が係合する２つのガイド溝７８は、互いに平行し、かつ、柱部３６の先部に至るにつれて前記とは逆方向の傾斜で柱部３６の中央から次第に離れるように傾斜している。
また、図１４、図１５に示すように、筐体６４の内部６５に２つの突起７６に係合し、ガイドピン７３がガイド溝７８から外れる方向の支持部材６２の移動を阻止する案内壁８０が設けられている。
【００２１】
本実施の形態では、案内部６６はガイドピン７４とガイド溝７８とを含んで構成されている。
したがって、図１２、図１６に示すように、柱部３６の内部でストッパ６４Ａおよび第１の付勢部材６８を介して支持部材６２は突出限界位置となっており、柱部３６を移動してグリップ装置側信号端子４８を相手方の撮像装置側信号端子２８に接触させさらに柱部３６を移動させていくと、支持部材６２は柱部３６の内部に没入していき、その際に支持部材６２およびグリップ装置側信号端子４８は案内部６６によりその移動する方向と直交する方向に移動される。
なお、本実施の形態では、図１８に示すように、グリップ装置側信号端子４８は、スリーブ７０に出没可能に支持され、第２の付勢部材７２により突出する方向に付勢されているので、第１の付勢部材６８の付勢力と第２の付勢部材７２の付勢力とを適宜設定することで、先にグリップ装置側信号端子４８を支持部材６２に没入させてから支持部材６２を柱部３６の内部に没入させたり、あるいは、支持部材６２を柱部３６の内部に没入させたのち、４８を支持部材６２の内部に没入させることが可能となり、また、柱部３６のストロークを大きく確保することができる。
【００２２】
次に縦位置グリップ装置３０の使用方法について説明する。
電池用トレー４０に２個の電池５０を収容し、縦位置グリップ装置３０の電池室３８に、２個の電池５０を電池用トレー４０と共に挿入し、蓋体３９を閉じる。
次に、撮像装置１０の電池室２４から電池５０を取り除いて電池室２４を空とし、この電池室２４に縦位置グリップ装置３０の柱部３６を挿入し、撮像装置１０の撮像装置側筐体１２の下部にグリップ装置側筐体３２の上部を合わせる。この際に、撮像装置１０の電池室２４の蓋体が収容凹部３７に収容される。
そして、操作ダイヤル３５Ａを回転操作し、雌ねじ２２に取り付けねじ３５を螺合することで撮像装置１０に縦位置グリップ装置３０を連結する。
電池室２４に柱部３６が挿入されることで、図１２、図１６に示すように、グリップ装置側信号端子４８の先端が撮像装置側信号端子２８に当接し、これにより撮像装置側信号端子２８とグリップ装置側信号端子４８とが電気的に接続され、縦位置グリップ装置３０の各スイッチ４４Ａ，４４Ｃ，４４Ｄからの操作信号がグリップ装置側信号端子４８から撮像装置側信号端子２８を介して制御部１０Ｅに供給可能な状態となる。
また、このような電池室２４への柱部３６の挿入により、撮像装置側電源端子２６にグリップ装置側電源端子４６が接続され、撮像装置側信号端子２８とグリップ装置側信号端子４８とが電気的に接続され、縦位置グリップ装置３０に収容された２個の電池５０の電力がグリップ装置側電源端子４６から撮像装置側電源端子２６を介して撮像装置１０の電源部１０Ｄに供給される。
これにより、電源部１０によって制御部１０Ｅを含む各部に電源が供給されると、制御部１０Ｅが起動して初期化処理などを実行し、撮像装置１０が動作可能な状態となる。
したがって、縦位置グリップ装置３０の各スイッチ４４Ａ，４４Ｃ，４４Ｄを操作することで、撮像装置１０がそれらスイッチ４４Ａ，４４Ｃ，４４Ｄに対応した撮影動作や画像の再生動作など種々の動作がなされる。
【００２３】
本実施の形態では、電池室２４への柱部３６の挿入により図１２および図１６に示すようにグリップ装置側信号端子４８が撮像装置側信号端子２８に当接し、さらに柱部３６を挿入すると、グリップ装置側信号端子４８が撮像装置側信号端子２８に当接していることから、図１３および図１７に示すように支持部材６２は柱部３６の内部に没入していき、また、グリップ装置側信号端子４８は支持部材６２（スリーブ７０）の内部に没入していく。
そして、支持部材６２が柱部３６の内部に没入していく際に、図１４および図１５に示すように、支持部材６２は案内部６６によりその移動する方向（その没入する方向）と直交する方向に移動される。なお、図１４は、グリップ装置側信号端子４８が撮像装置側信号端子２８に当接する前または当接した当初の支持部材６２の位置を示した図、図１５は、グリップ装置側信号端子４８が撮像装置側信号端子２８に当接した状態からさらに柱部３６が押し込まれた状態の支持部材６２の位置を示した図である。
すなわち、支持部材６２の柱部３６の内部への没入に伴い（言い換えると支持部材６２の前記接触離間する方向への移動に連動して）グリップ装置側信号端子４８の先端が第１、第２の付勢部材６８、７２の付勢力によって撮像装置側信号端子２８を押圧しつつ撮像装置側信号端子２８上を摺動することになる。
これにより、グリップ装置側信号端子４８はその先端によって撮像装置側信号端子２８の表面に付着している塵埃を排除しつつ移動することになり、撮像装置側信号端子２８の表面に付着している塵埃が取り除かれる。あるいは、グリップ装置側信号端子４８はその先端によって撮像装置側信号端子２８の表面に形成された酸化被膜を剥離しつつ移動することになり、撮像装置側信号端子２８の表面に形成された酸化被膜が取り除かれる。
したがって、グリップ装置側信号端子４８と撮像装置側信号端子２８との電気的な接続が確保され、グリップ装置側信号端子４８と撮像装置側信号端子２８との導通が良好なものとなる。
【００２４】
したがって、本実施の形態によれば、端子清掃用の部材を何ら用いることなくグリップ装置側信号端子４８によって撮像装置側信号端子２８の表面の塵埃や酸化被膜を取り除き、グリップ装置側信号端子４８と相手側の撮像装置側信号端子２８との間での接点不良を確実に防止して信号の伝達を確実に行い信頼性の向上を図る上で有利となる。
また、撮像装置側信号端子２８の表面の塵埃や酸化被膜を取り除くことができるので、グリップ装置側信号端子４８を相手方の撮像装置側信号端子２８に接触する方向に付勢する付勢力を大きくすることなく、グリップ装置側信号端子４８と相手側の撮像装置側信号端子２８との間の導通を確保でき、グリップ装置側信号端子４８および相手方の撮像装置側信号端子２８に加わるストレスを低減してグリップ装置側信号端子４８および相手方の撮像装置側信号端子２８の耐久性を高める上で有利となることは無論のこと、グリップ装置側信号端子４８を相手方の撮像装置側信号端子２８に接触する方向に動かす際に必要な力が少なくて済むため、縦位置グリップ装置３０の撮像装置１０への取り付け時の操作性の向上を図る上で有利となる。
【００２５】
なお、本実施の形態では、案内部６６による支持部材６２の移動が、前記接触離間する方向に対して傾斜する方向への直線運動である場合について説明したが、案内部６６による支持部材６２の移動は、直線運動に限定されず、円運動や揺動であってもよい。
また、案内部６６の構成はガイドピンやガイド溝に限定されず、従来公知のさまざまな構造が採用可能である。
また、本実施の形態では、グリップ装置側信号端子４８が支持部材６２に出没可能に支持され、第２の付勢部材７２により突出する方向に付勢される構成である場合について説明したが、グリップ装置側信号端子４８が支持部材６２に対して移動不能に固定される構成であってもよい。
また、本実施の形態では、グリップ装置側信号端子４８を介して各スイッチ４４Ａ，４４Ｃ，４４Ｄの操作信号を伝達する場合について説明したが、電源電圧、電源電流などの電力を端子を介して伝達してもよいことは無論である。
また、本実施の形態では、グリップ装置側信号端子４８がピンで構成されている場合について説明したが、端子形状はピンに限定されるものではなく、端子形状としては例えば板ばねや線ばねなど従来公知のさまざまな端子形状が採用可能である。
また、本発明が適用される電子機器は縦位置グリップ装置３０に限定されず、端子と、この端子を支持する支持部材とを有する電子機器に広く適用されることは無論のこと、本発明は、端子と、この端子を支持する支持部材とを有するコネクタ単体にも無論適用可能である。
【図面の簡単な説明】
【００２６】
【図１】撮像装置１０および縦位置グリップ装置３０の正面図である。
【図２】撮像装置１０に縦位置グリップ装置３０が装着される過程を示す正面図である。
【図３】撮像装置１０に縦位置グリップ装置３０が装着された状態を示す正面図である。
【図４】撮像装置１０に縦位置グリップ装置３０が装着された状態を示す背面図である。
【図５】縦位置グリップ装置３０を前方から見た斜視図である。
【図６】縦位置グリップ装置３０を後方から見た斜視図である。
【図７】縦位置グリップ装置３０の電池室３８に電池５０が収容された状態を示す斜視図である。
【図８】縦位置グリップ装置３０の電池室３８に電池５０が収容される状態を示す斜視図である。
【図９】撮像装置１０および縦位置グリップ装置３０の制御系を示すブロック図である。
【図１０】柱部３６の構成を示す分解斜視図である。
【図１１】（Ａ）はグリップ装置側信号端子４８と撮像装置側信号端子２８との接触状態を示す斜視図、（Ｂ）は（Ａ）の拡大斜視図である。
【図１２】柱部３６を電池室２４に挿入しグリップ装置側信号端子４８が撮像装置側信号端子２８に当接した当初の状態を示す柱部３６の正面図である。
【図１３】柱部３６を電池室２４に挿入しグリップ装置側信号端子４８が撮像装置側信号端子２８に当接した状態からさらに柱部３６を押し込んだ柱部３６の正面図である。
【図１４】図１２のＢＢ線断面図である。
【図１５】図１３のＡＡ線断面図である。
【図１６】柱部３６を電池室２４に挿入しグリップ装置側信号端子４８が撮像装置側信号端子２８に当接した当初の状態の柱部３６および電池室２４の断面図である。
【図１７】柱部３６を電池室２４に挿入しグリップ装置側信号端子４８が撮像装置側信号端子２８に当接した状態からさらに柱部３６を押し込んだ状態の柱部３６および電池室２４の断面図である。
【図１８】グリップ装置側信号端子４８の構成を示す断面図である。
【符号の説明】
【００２７】
１０……撮像装置、３０……縦位置グリップ装置、４８……グリップ装置側信号端子、６２……支持部材、６６……案内部、６８……第１の付勢部材。
【図１】
2009059674.tif 000003
【図２】
2009059674.tif 000004
【図３】
2009059674.tif 000005
【図４】
2009059674.tif 000006
【図５】
2009059674.tif 000007
【図６】
2009059674.tif 000008
【図７】
2009059674.tif 000009
【図８】
2009059674.tif 000010
【図９】
2009059674.tif 000011
【図１０】
2009059674.tif 000012
【図１１】
2009059674.tif 000013
【図１２】
2009059674.tif 000014
【図１３】
2009059674.tif 000015
【図１４】
2009059674.tif 000016
【図１５】
2009059674.tif 000017
【図１６】
2009059674.tif 000018
【図１７】
2009059674.tif 000019
【図１８】
2009059674.tif 000020